(57)【要約】【課題】プリセットボタンに間違いなく放送局名を登録することで、使い勝手の良いラジオ放送受信装置を提供することである。【解決手段】ＲＤＳ放送受信機能搭載ナビゲーション装置１０は放送局名を記すためのテキストデータを含むデータ放送が多重されるラジオ放送を受信するラジオ受信部１６と、前記テキストデータを表示する表示部１４と、登録された放送局を選局するためのプリセットボタンと、各放送局名を記憶した記憶部１５と、プリセットボタンへ放送局名を登録する際、受信した前記テキストデータが記憶部１５に記憶されている何れかの放送局名と一致した場合、該一致した放送局名をプリセットボタンに登録し、受信した前記テキストデータが記憶部１５に記憶されている何れの放送局名とも一致しなかった場合、受信した前記テキストデータをプリセットボタンに登録しないように制御する制御部とを備える。【選択図】図１
2012204888.tif 000002
【特許請求の範囲】
【請求項１】
放送局名を記すためのテキストデータを含むデータ放送が多重されるラジオ放送を受信する受信部と、前記テキストデータを表示する表示部と、登録された放送局を選局するためのプリセットボタンとを備えたラジオ放送受信装置において、
各放送局名を記憶した記憶部と、
前記プリセットボタンへ放送局名を登録する際、受信した前記テキストデータが前記記憶部に記憶されている何れかの放送局名と一致した場合、該一致した放送局名を前記プリセットボタンに登録し、受信した前記テキストデータが前記記憶部に記憶されている何れの放送局名とも一致しなかった場合、受信した前記テキストデータを前記プリセットボタンに登録しないように制御する制御部とを備えたことを特徴とするラジオ放送受信装置。
【請求項２】
前記データ放送が放送局識別コードを含み、
前記記憶部は、前記各放送局名を各放送局識別コードに対応させて記憶し、
前記制御部は、前記プリセットボタンへ放送局名を登録する際、受信した前記放送局識別コード及び前記テキストデータが前記記憶部に記憶されている何れかの放送局識別コード及びそれに対応した放送局名と一致した場合にのみ、該一致した放送局名を前記プリセットボタンに登録するように制御することを特徴とする請求項１記載のラジオ放送受信装置。
【請求項３】
前記記憶部は、前記各放送局名に対応させて各放送波の周波数を記憶し、
前記制御部は、前記プリセットボタンへ放送局名を登録する際、受信した前記テキストデータ及び放送波の周波数が前記記憶部に記憶されている何れかの放送局名及びそれに対応した周波数と一致した場合にのみ、該一致した放送局名を前記プリセットボタンに登録するように制御することを特徴とする請求項１記載のラジオ放送受信装置。
【請求項４】
放送局識別コードを含むデータ放送が多重されるラジオ放送を受信する受信部と、放送局名を表示する表示部と、登録された放送局を選局するためのプリセットボタンとを備えたラジオ放送受信装置において、
各放送局識別コード及びそれに対応した放送局名を記憶した記憶部と、
前記プリセットボタンへ放送局名を登録する際、受信した前記放送局識別コードが前記記憶部に記憶されている何れかの放送局識別コードと一致した場合、該一致した放送局識別コードに対応した放送局名を前記プリセットボタンに登録し、受信した前記放送局識別コードが前記記憶部に記憶されている何れの放送局識別コードとも一致しなかった場合、受信した放送局識別コードの放送局を前記プリセットボタンに登録しないように制御する制御部とを備えたことを特徴とするラジオ放送受信装置。
【請求項５】
前記プリセットボタンへ放送局名を登録するには、オートメモリ、放送局リスト、所定ボタンの操作の何れかによって行うことを特徴とする請求項１〜４の何れかに記載のラジオ放送受信装置。
【請求項６】
前記データ放送は、ＲＤＳ放送又はＲＢＤＳ放送であることを特徴とする請求項１〜５の何れかに記載のラジオ放送受信装置。
【発明の詳細な説明】
【技術分野】
【０００１】
本発明は、ＲＤＳ／ＲＢＤＳ放送等を受信するラジオ放送受信装置に関する。
【背景技術】
【０００２】
ＦＭ放送にテキスト等の各種データを多重放送するシステムが規格化されており、欧州ではＲＤＳ（Radio Data System）、北米ではＲＢＤＳ（Radio Broadcast Data System）と呼ばれている。ＲＤＳ又はＲＢＤＳによるＦＭ多重放送（以下、ＲＤＳ／ＲＢＤＳ放送と記す）におけるＲＤＳ／ＲＢＤＳデータの一つにＰＳ（放送局名）というデータがあり、８文字の文字列で表されるデータである。ＰＳは本来、放送局名を記すものであったが、最近ではダイナミックにＰＳデータを更新すること（所謂ダイナミックＰＳ）で現在放送中の曲の歌手名やアルバム名を交互に放送するなどの用途に使われることが多い。そのため、ラジオ放送受信装置のプリセットボタンに放送局名を登録する際、受信したＰＳデータをそのまま登録すると、歌手名など放送局名以外の名称が登録される場合が生じる。
【０００３】
ダイナミックＰＳによる種々の不都合を解消する技術としては、例えば、特許文献１に、ＲＤＳ放送を受信してその周波数とＰＳデータを記憶し、プリセットメモリとしてのテーブルを作成するとともに、プリセットメモリから放送局を呼び出すときは、対応する前記テーブル中のレコードにおけるＰＳデータの内容を出力する多重放送受信機において、ＲＤＳ放送のうち、ダイナミックＰＳを行っているものを検出し、検出したＲＤＳ放送の前記テーブル内のレコードにおけるＰＳデータの内容をスペース等のデータに置き換える構成が開示されている。
【先行技術文献】
【特許文献】
【０００４】
【特許文献１】特開２００２−１３５１４８号公報
【発明の概要】
【発明が解決しようとする課題】
【０００５】
しかしながら、特許文献１の技術ではＰＳデータの内容をスペース等のデータに置き換えることで、無意味な表示が行われることは防止できるが、上述したプリセットボタンに正確に放送局名が登録されないという問題は解決できない。したがって、ラジオを聴く際に、プリセットボタンを押して選局すると、画面に間違った放送局名が表示される場合が生じ、ユーザを混乱させることになる。
【０００６】
本発明は、プリセットボタンに間違いなく放送局名を登録することで、使い勝手の良いラジオ放送受信装置を提供することを目的とする。
【課題を解決するための手段】
【０００７】
上記目的を達成するために本発明は、放送局名を記すためのテキストデータを含むデータ放送が多重されるラジオ放送を受信する受信部と、前記テキストデータを表示する表示部と、登録された放送局を選局するためのプリセットボタンとを備えたラジオ放送受信装置において、各放送局名を記憶した記憶部と、前記プリセットボタンへ放送局名を登録する際、受信した前記テキストデータが前記記憶部に記憶されている何れかの放送局名と一致した場合、該一致した放送局名を前記プリセットボタンに登録し、受信した前記テキストデータが前記記憶部に記憶されている何れの放送局名とも一致しなかった場合、受信した前記テキストデータを前記プリセットボタンに登録しないように制御する制御部とを備えたことを特徴とする。
【０００８】
上記のラジオ放送受信装置において、前記データ放送が放送局識別コードを含み、前記記憶部は、前記各放送局名を各放送局識別コードに対応させて記憶し、前記制御部は、前記プリセットボタンへ放送局名を登録する際、受信した前記放送局識別コード及び前記テキストデータが前記記憶部に記憶されている何れかの放送局識別コード及びそれに対応した放送局名と一致した場合にのみ、該一致した放送局名を前記プリセットボタンに登録するように制御するようにしてもよい。
【０００９】
また上記のラジオ放送受信装置において、前記記憶部は、前記各放送局名に対応させて各放送波の周波数を記憶し、前記制御部は、前記プリセットボタンへ放送局名を登録する際、受信した前記テキストデータ及び放送波の周波数が前記記憶部に記憶されている何れかの放送局名及びそれに対応した周波数と一致した場合にのみ、該一致した放送局名を前記プリセットボタンに登録するように制御するようにしてもよい。
【００１０】
また本発明は、放送局識別コードを含むデータ放送が多重されるラジオ放送を受信する受信部と、放送局名を表示する表示部と、登録された放送局を選局するためのプリセットボタンとを備えたラジオ放送受信装置において、各放送局識別コード及びそれに対応した放送局名を記憶した記憶部と、前記プリセットボタンへ放送局名を登録する際、受信した前記放送局識別コードが前記記憶部に記憶されている何れかの放送局識別コードと一致した場合、該一致した放送局識別コードに対応した放送局名を前記プリセットボタンに登録し、受信した前記放送局識別コードが前記記憶部に記憶されている何れの放送局識別コードとも一致しなかった場合、受信した放送局識別コードの放送局を前記プリセットボタンに登録しないように制御する制御部とを備えたことを特徴とする。
【００１１】
上記のラジオ放送受信装置において、前記プリセットボタンへ放送局名を登録するには、オートメモリ、放送局リスト、所定ボタンの操作の何れかによって行うことができる。
【００１２】
また上記のラジオ放送受信装置において、前記データ放送は、例えばＲＤＳ放送又はＲＢＤＳ放送である。
【発明の効果】
【００１３】
本発明によると、ラジオ放送受信装置のプリセットボタンに間違いなく放送局名を登録することができるので、使い勝手が向上する。
【図面の簡単な説明】
【００１４】
【図１】本発明の一例のＲＤＳ放送受信機能搭載ナビゲーション装置の主要な構成を示すブロック図である。
【図２】本発明の一例のＲＤＳ放送受信機能搭載ナビゲーション装置におけるプリセットボタンの登録に関する動作を示すフローチャートである。
【図３】本発明の一例のラジオ放送受信状態のＲＤＳ放送受信機能搭載ナビゲーション装置の前面図である。
【図４】各放送局名を記したデータベースの一例を示す図である。
【図５】本発明の一例のＲＤＳ放送受信機能搭載ナビゲーション装置におけるプリセットボタンの登録に関する動作を示すフローチャートである。
【図６】各放送局識別コード及びそれに対応した放送局名を記したデータベースの一例を示す図である。
【図７】各放送局名及びそれに対応した放送波の周波数を記したデータベースの一例を示す図である。
【図８】本発明の一例のＲＤＳ放送受信機能搭載ナビゲーション装置におけるプリセットボタンの登録に関する動作を示すフローチャートである。
【発明を実施するための形態】
【００１５】
以下、本発明のラジオ放送受信装置の一例として、車両搭載用のＲＤＳ放送受信機能搭載ナビゲーション装置を用いて説明する。ＲＤＳ放送受信機能搭載ナビゲーション装置の主たる機能はナビゲーション機能とＲＤＳ放送受信機能とである。ナビゲーション機能は、ＧＰＳ（Global Positioning System）衛星から受信した電波等に基づいて現在地（車両位置）を特定し、現在地をその付近の地図上に重ねて表示し、さらに目的地が設定されている場合は走行予定経路（誘導経路）に沿って車両を目的地まで案内（誘導）する機能である。ＲＤＳ放送受信機能は、ＦＭ放送を受信し、選局されているチャンネルの番組を出力するとともに、ＲＤＳデータを取得して交通情報等を出力する機能である。
【００１６】
図１は、本発明の一例のＲＤＳ放送受信機能搭載ナビゲーション装置の主要な構成を示すブロック図である。ＲＤＳ放送受信機能搭載ナビゲーション装置１０は、交通情報受信部１１と、ナビゲーション部１２と、表示制御部１３と、表示部１４と、記憶部１５と、ラジオ受信部１６と、復調／ＲＤＳデコード／ソース信号切替部１７と、ＣＤ再生部１８と、音声信号増幅部１９と、スピーカー２０と、操作部２１と、制御部２２とを備えている。また、交通情報受信部１１及びラジオ受信部１６はＲＤＳ放送を受信するアンテナ３０に、ナビゲーション部１２はＧＰＳ衛星からの電波を受信するアンテナ３１にそれぞれ接続されている。
【００１７】
交通情報受信部１１は、ＲＤＳ放送の一部のチャンネルを用いて交通情報等のデータを提供しているＲＤＳ−ＴＭＣ（Radio Data System - Traffic Message Channel）のデータを受信する受信機である。ＲＤＳ−ＴＭＣデータに含まれる情報としては、地点Ａから地点Ｂまで１０ｋｍの渋滞有りなどの渋滞情報、工事、事故、通行止めなどの交通規制情報、駐車場の空き情報、雪、凍結スリップ注意などの気象情報、会議、スポーツイベント開催などのイベント情報等がある。
【００１８】
ナビゲーション部１２は、アンテナ３１がＧＰＳ衛星から受信した電波を処理して測位用データを取り出し、この測位用データに基づいて車両の現在地を特定する。なお、現在地の特定には、車両の向きを検知するためのジャイロセンサ、車両の走行速度を検知するための車速センサ等を併用してもよい。またナビゲーション部１２は、目的地までの走行予定経路の算出も行う。ナビゲーション部１２は、誘導画面の表示や経路探索などに必要となる地図データベースを有し、地図データベースには、道路、施設、背景等の情報を含む地図データ、地図データに基づいて地図や誘導画面を描画する際に参照される描画パラメータ、各種検索にて参照される索引データ、経路誘導用やその他の用途の音声の生成に使用される音声データ等が含まれている。またナビゲーション部１２は、交通情報受信部１１で受信したＴＭＣデータから必要な交通情報やイベント情報等の抽出も行う。
【００１９】
表示制御部１３は、描画専用のＣＰＵ等を含むＩＣチップであって、制御部２２からの指示に基づいて、ラジオ放送受信中の選局画面の画像データや誘導画面の画像データや操作画面の画像データ等を作成する。ＲＤＳ−ＴＭＣデータの交通情報がある場合はその交通情報を最前面に重畳する。そして、作成した画像データを表示制御部１３が有するＲＡＭに記憶し、記憶した画像データに基づいて表示部１４に画像表示用の信号を送り、表示部１４の表示領域に画像データに係る画面を表示させる。表示部１４には、ＬＣＤや有機ＥＬディスプレイなどが用いられる。
【００２０】
記憶部１５は、仕様によって、各放送局名（ＰＳ）を記したデータベース、各放送局識別コード（ＰＩ）及びそれに対応した放送局名（ＰＳ）を記したデータベース、各放送局名（ＰＳ）及びそれに対応した放送波の周波数を記したデータベースの何れかを有し、制御部２２によって読み出し可能となっている。なお、これらのデータベースは制御部２２内のＲＯＭに記憶してもよい。
【００２１】
ラジオ受信部１６は、チューナ等で構成されており、ＲＤＳ放送信号を受信する。復調／ＲＤＳデコード／ソース信号切替部１７は、ＲＤＳ放送信号を復調し、ラジオ番組の音声信号を音声信号増幅部１９へ出力し、ＲＤＳ信号をデコードして各種ＲＤＳデータを制御部２２へ出力し、ラジオ又はＣＤのどちらのソース信号を音声信号増幅部１９へ出力するかの切り替えを行う。
【００２２】
ＣＤ再生部１８は、ＣＤ等の光ディスクからデータを読み出し、復調／ＲＤＳデコード／ソース信号切替部１７へ再生信号を出力する。音声信号増幅部１９は、ラジオ又はＣＤの音声信号を増幅してスピーカー２０から放音させる。
【００２３】
操作部２１は、ハードキーやタッチパネルで構成される。ハードキーは、電源のオン／オフを行う電源キー等を含んでおり、装置本体の前面に設けられる。タッチパネルは、例えば、格子状に配置された透明な電極を有する感圧式のパネルであって、表示部１４の表示領域上に配設される。操作部２１に含まれるプリセットボタンは、ハードキー又はタッチパネルのどちらを用いてもよいが、タッチパネルを用いるとボタンに放送局名を表示することができる。
【００２４】
制御部２２は、ＲＤＳ放送受信機能搭載ナビゲーション装置１０の制御を統括的に行う。制御部２２は、例えばマイクロコンピュータで構成されており、制御や動作の手順が記述された各種プログラムを実行するＣＰＵと、ＣＰＵで使用されるデータやＣＰＵ１６で実行されるプログラムを一時的に記憶するＲＡＭと、各種制御を記述したプログラムやフォントデータ等を記憶するＲＯＭとを含んでいる。これらＣＰＵ、ＲＡＭ、ＲＯＭ等は、バスを介して接続されている。
【００２５】
なお、表示部１４及びスピーカー２０はＲＤＳ放送受信機能搭載ナビゲーション装置１０とは別の装置とし、ＲＤＳ放送受信機能搭載ナビゲーション装置１０を表示装置及びスピーカーに接続する構成であってもよい。
【００２６】
次に、図１のＲＤＳ放送受信機能搭載ナビゲーション装置１０を用い、プリセットボタンの登録に関する動作について説明する。
【００２７】
図２は、ＲＤＳ放送受信機能搭載ナビゲーション装置１０におけるプリセットボタンの登録に関する動作を示すフローチャートであり、図３は、ラジオ放送受信状態のＲＤＳ放送受信機能搭載ナビゲーション装置１０の前面図の一例である。
【００２８】
図３に示すように、装置本体の筐体の前面下部に各種ハードキー２１ｊが配設され、その上方に表示部１４が配設されている。表示部１４はタッチパネル方式を採用しており、プリセットボタン２１ａ〜２１ｈが表示され、各プリセットボタン２１ａ〜２１ｈには登録されている放送局名が記されている。また、表示部１４には、プリセットボタンが操作されることによって選局した現在選局中の放送局名も表示されている。
【００２９】
本実施形態では、ユーザがラジオを聴いているときに所定ボタンを所定操作（例えば、所望のプリセットボタンを長押し）して現在の選局チャンネルをその所定ボタン（例えば、所望のプリセットボタン）に登録させる場合について説明する。
【００３０】
まず、ラジオを受信している状態において、ステップＳ１０で制御部２２はプリセットボタンが長押しされたか否かを判別する。例えばプリセットボタン２１ａが長押しされた場合、ステップＳ１１へ進んで制御部２２は復調／ＲＤＳデコード／ソース信号切替部１７から直近に受信したＲＤＳデータを取得し、ステップＳ１２へ進んでＲＤＳデータからＰＳデータを抽出する。なお、ステップＳ１１からステップＳ１５においては、表示部１４の放送局名を表示する位置に選局中の周波数を表示するようにすることが望ましい。
【００３１】
続いてステップＳ１３へ進んで、制御部２２は記憶部１５に記憶されている各放送局名（ＰＳ）を記したデータベースから各放送局名を読み出し、ステップＳ１２で抽出したＰＳデータに一致する放送局名があるか否かを判別する。図４に、各放送局名を記したデータベースの一例を示す。
【００３２】
ステップＳ１３において一致する放送局名があった場合、ステップＳ１４へ進んで制御部２２はその一致した放送局名を長押しされたプリセットボタン２１ａに登録する。登録時には、プリセットボタン２１ａの押下で選局できるように、他に少なくともそのプリセットボタン２１ａに対応させて放送波の周波数も登録する。なお、プリセットボタン２１ａの登録内容は例えば記憶部１５又は制御部２２に記憶すればよい。ステップＳ１４の処理が完了すると、表示部１４は図３に示す状態となり、プリセットボタン２１ａの枠内に登録された放送局名が表示され、表示部１４の上部に現在選局中の放送局名も表示される。
【００３３】
一方、ステップＳ１３において抽出したＰＳデータがデータベースの何れの放送局名とも一致しなかった場合、ステップＳ１５へ進んで一回目は計時を開始し、二回目以降は所定時間経過したか否かを判別する。そして、所定時間経過していなければ、ステップＳ１１に戻り、新たなＲＤＳデータを取得する。ダイナミックＰＳが放送されている場合であれば、ＰＳデータの内容が刻々と変化しているので、所定時間を数十秒程度に設定しておけば、ＰＳデータに放送局名が流れる可能性が高い。
【００３４】
一方、ステップＳ１５において所定時間経過していれば、ＰＳデータに放送局名が流れていないと判断し、プリセットボタン２１ａへの放送局名の登録を断念し、処理を終了する。この場合は、表示部１４に放送局名を登録できなかった旨のメッセージ等を表示すれば、ユーザに分かり易い。なお、放送局名が登録できなかった場合でもプリセットボタン２１ａの押下で選局できるように放送波の周波数等を登録し、放送局名の代わりに周波数を表示させるようにしてもよい。
【００３５】
そして、次回、登録されたプリセットボタン２１ａが押下されると、ＲＤＳ放送受信機能搭載ナビゲーション装置１０は、登録されている放送局を選局するとともに、表示部１４にはプリセットボタン２１ａに登録されている放送局名を表示させる。
【００３６】
このように、ユーザの手動操作によってプリセットボタン２１ａへ放送局名を登録する際、受信したＰＳデータが記憶部１５に記憶されている何れかの放送局名と一致した場合、該一致した放送局名をプリセットボタン２１ａに登録し、一方、受信したＰＳデータが記憶部１５に記憶されている何れの放送局名とも一致しなかった場合、受信したＰＳデータをプリセットボタン２１ａに登録しないようにすることにより、プリセットボタン２１ａに間違いなく放送局名を登録することができるので、使い勝手が向上する。
【００３７】
他の形態としては、図５に示すフローチャートにしたがって処理してもよい。ステップＳ２０、ステップＳ２１はステップＳ１０、ステップＳ１１と同様であり、ステップＳ２２でＲＤＳデータからＰＳデータ及びＰＩコードを抽出する。
【００３８】
続いてステップＳ２３へ進んで、制御部２２は記憶部１５に記憶されている各放送局識別コード（ＰＩ）及びそれに対応した放送局名（ＰＳ）を記したデータベースから各放送局識別コード及びそれに対応した放送局名を読み出し、ステップＳ２２で抽出したＰＩコード及びＰＳデータに一致する放送局識別コード及びそれに対応した放送局名があるか否かを判別する。図６に、各放送局識別コード及びそれに対応した放送局名を記したデータベースの一例を示す。
【００３９】
ステップＳ２３において一致する放送局識別コード及びそれに対応した放送局名があった場合、ステップＳ２４へ進む。一方、ステップＳ２３において抽出したＰＩコード及びＰＳデータがデータベースの何れの放送局識別コード及びそれに対応した放送局名とも一致しなかった場合、ステップＳ２５へ進む。ステップＳ２４、ステップＳ２５はステップＳ１４、ステップＳ１５と同様である。
【００４０】
そして、次回、登録されたプリセットボタン２１ａが押下されると、ＲＤＳ放送受信機能搭載ナビゲーション装置１０は、登録されている放送局を選局するとともに、表示部１４にはプリセットボタン２１ａに登録されている放送局名を表示させる。
【００４１】
このように、ユーザの手動操作によってプリセットボタン２１ａへ放送局名を登録する際、受信したＰＩコード及びＰＳデータが記憶部１５に記憶されている何れかの放送局識別コード及びそれに対応した放送局名と一致した場合にのみ、該一致した放送局名をプリセットボタン２１ａに登録することにより、プリセットボタン２１ａに間違いなく放送局名を登録する精度が向上する。
【００４２】
なお、ＰＩコードの代わりに各放送波の周波数を用いてもよい。この場合、図７に示すような、各放送局名（ＰＳ）及びそれに対応した放送波の周波数を記したデータベースを記憶部１５に記憶しておけばよい。図７に示すように、１つの放送局名に対して複数の周波数が割り当てられている場合がある。
【００４３】
このように、ユーザの手動操作によってプリセットボタン２１ａへ放送局名を登録する際、受信したＰＳデータ及び放送波の周波数が記憶部１５に記憶されている何れかの放送局名及びそれに対応した周波数（複数ある場合は何れか１つの周波数）と一致した場合にのみ、該一致した放送局名をプリセットボタン２１ａに登録することにより、プリセットボタン２１ａに間違いなく放送局名を登録する精度が向上する。したがって、ＰＳデータと放送波に乗っている各放送局に固有なデータとを組み合わせて用いることで、間違いなく放送局名を登録する精度が向上する。
【００４４】
さらに他の形態としては、図８に示すフローチャートにしたがって処理してもよい。ステップＳ３０、ステップＳ３１はステップＳ１０、ステップＳ１１と同様であり、ステップＳ３２でＲＤＳデータからＰＩコードを抽出する。
【００４５】
続いてステップＳ３３へ進んで、制御部２２は記憶部１５に記憶されている各放送局識別コード（ＰＩ）及びそれに対応した放送局名（ＰＳ）を記したデータベース（図６参照）から各放送局識別コードを読み出し、ステップＳ３２で抽出したＰＩコードに一致する放送局識別コードがあるか否かを判別する。
【００４６】
ステップＳ３３において一致する放送局識別コードがあった場合、ステップＳ３４へ進んで制御部２２はその一致した放送局識別コードに対応した放送局名をデータベースから読み出し、長押しされたプリセットボタン２１ａに登録する。登録時にはプリセットボタン２１ａの押下で選局できるように、他にも、少なくともそのプリセットボタン２１ａに対応させて放送波の周波数も登録する。なお、プリセットボタン２１ａの登録内容は例えば記憶部１５又は制御部２２に記憶すればよい。
【００４７】
一方、ステップＳ３３において、抽出したＰＩコードがデータベースの何れの放送局識別コードとも一致しなかった場合、ステップＳ３５へ進む。ステップＳ３５はステップＳ１５と同様である。
【００４８】
そして、次回、登録されたプリセットボタン２１ａが押下されると、ＲＤＳ放送受信機能搭載ナビゲーション装置１０は、登録されている放送局を選局するとともに、表示部１４にはプリセットボタン２１ａに登録されている放送局名を表示させる。
【００４９】
このように、ユーザの手動操作によってプリセットボタン２１ａへ放送局名を登録する際、受信したＰＩコードが記憶部１５に記憶されている何れかの放送局識別コードと一致した場合、該一致した放送局識別コードに対応した放送局名をプリセットボタン２１ａに登録し、受信したＰＩコードが記憶部１５に記憶されている何れの放送局識別コードとも一致しなかった場合、受信したＰＩコードの放送局をプリセットボタン２１ａに登録しないようにすることにより、プリセットボタン２１ａに間違いなく放送局名を登録することができるので、使い勝手が向上する。
【００５０】
なお、オートメモリによって自動でプリセットボタンに登録する動作についても上記の各実施形態とほぼ同様である。具体的には、ユーザがラジオを聴いているときにオートメモリボタンを押すと、ＲＤＳ放送受信機能搭載ナビゲーション装置１０は、最も低い周波数から順にサーチし、受信可能な周波数であると判断すると、上述したプリセットボタン２１ａに登録する処理と同様にして登録し、次の受信可能な周波数をサーチして次のプリセットボタンに登録することを繰り返す。
【００５１】
また、放送局リストによって自動でプリセットボタンに登録する動作についても上記の各実施形態とほぼ同様である。放送局リストを作成するには２つ以上のチューナが必要であり、ユーザがラジオを聴いている裏で定期的にオートメモリと同様のサーチが行われ、現在受信可能な放送局リストが作成され、放送局リストの各放送局が各プリセットボタンに割り当てられる。そして、ユーザがラジオを聴いているときに放送局リストボタンを押すと直ぐに、表示部１４に放送局リストに対応したプリセットボタンが並べて表示される。
【００５２】
なお、上記の実施形態で挙げたＰＳデータは、放送局名を記すためのテキストデータの一例であり、ＲＤＳ／ＲＢＤＳ以外の規格ではＰＳデータと呼ばないこともあり得る。
【産業上の利用可能性】
【００５３】
本発明は、ラジオ放送受信機能のみを搭載した装置をはじめ、例えばラジオ放送受信機能を搭載したナビゲーション装置、ラジオ放送受信機能を搭載したオーディオ装置、ラジオ放送受信機能を搭載した携帯機器などラジオ放送受信機能を搭載した各種電子機器に利用することができる。また、それらの機器は車載用のポータブル型又は固定型、家庭用、携帯用などを問わず利用できる。
【符号の説明】
【００５４】
１０  ＲＤＳ放送受信機能搭載ナビゲーション装置
１１  交通情報受信部
１２  ナビゲーション部
１３  表示制御部
１４  表示部
１５  記憶部
１６  ラジオ受信部
１７  復調／ＲＤＳデコード／ソース信号切替部
１８  ＣＤ再生部
１９  音声信号増幅部
２０  スピーカー
２１  操作部
２１ａ〜２１ｈ  プリセットボタン
２１ｊ  ハードキー
２２  制御部
【図１】
2012204888.tif 000003
【図２】
2012204888.tif 000004
【図３】
2012204888.tif 000005
【図４】
2012204888.tif 000006
【図５】
2012204888.tif 000007
【図６】
2012204888.tif 000008
【図７】
2012204888.tif 000009
【図８】
2012204888.tif 000010